(57)【要約】  吸収性組立体を含むことができる衣類の製造方法が示されている。この工程は、機械方向に衣類本体ウエブを移送することを含む。ウエブの部分が除去されて、開口を形成し、更に衣類本体ウエブを開いた状態にして、吸収性組立体が開口に近くの衣類本体ウエブ上に配置される。衣類本体ウエブの一部は、折り畳み部分を有するように機械方向に向けられ、吸収性組立体の一部が、折り畳み部分に取り付けられる。【選択図】図４
2007535622.tif 000002
【特許請求の範囲】
【請求項１】
機械方向及び機械横方向を有し、衣類を製造するための方法であって、
衣類本体ウエブを前記機械方向に移送し、
前記衣類本体に股部開口を形成し、
前記衣類本体ウエブを開いた状態にして、前記股部開口の近くに吸収性組立体を配置し、
前記衣類本体ウエブの一部を機械横方向に向けて折り畳み部分を形成し、
前記吸収性組立体の一部を前記折り畳み部分に取り付ける
ことを特徴とする方法。
【請求項２】
前記衣類本体ウエブを、衣類腰部縁及び前記衣類腰部縁とは反対側の衣類脚部縁が実質的に前記機械横方向に延びるように形成された個々の衣類シャーシに分離する段階を更に含むことを特徴とする請求項１に記載の方法。
【請求項３】
衣類シャーシを前記衣類本体から分離する段階を更に含み、前記分離する段階は、前記股部開口を横切るように行なわれて１対の股部開口を形成することを特徴とする請求項１に記載の方法。
【請求項４】
前記分離する段階が前記吸収性組立体を１対の吸収性組立体に分け、前記１対の吸収性組立体の１つが前記衣類シャーシと組み合わされることを特徴とする請求項３に記載の方法。
【請求項５】
腰部弾性材を前記衣類本体ウエブに取り付ける段階を更に含み、前記分離する段階が前記弾性材を１対の腰部弾性材に分離し、前記１対の腰部弾性材の１つが前記衣類シャーシと組み合わされることを特徴とする請求項３に記載の方法。
【請求項６】
前記分離が１対の腰部縁を形成し、前記１対の腰部縁の１つが前記衣類シャーシと組み合わされることを特徴とする請求項３に記載の方法。
【請求項７】
前記衣類本体ウエブから衣類シャーシを分離する段階を更に含み、前記分離する段階は、１対の近接した股部開口の間で前記衣類本体を横切るように行なわれることを特徴とする請求項１に記載の方法。
【請求項８】
前記分離する段階が１対の衣類脚部縁を形成し、前記１対の衣類脚部縁が前記衣類シャーシと組み合わされることを特徴とする請求項７に記載の方法。
【請求項９】
前記衣類本体ウエブを前記開いた状態にして、複数の吸収性組立体が前記股部開口の近くで前記第一ウエブ上に配置されることを特徴とする請求項１に記載の方法。
【請求項１０】
前記吸収性組立体は、前記股部開口の少なくとも一部に重ねられることを特徴とする請求項１に記載の方法。
【請求項１１】
前記衣類本体ウエブは第一ウエブ及び第二ウエブを含み、前記第一ウエブ及び第二ウエブは、股部シームを形成するように取り付けられることを特徴とする請求項１に記載の方法。
【請求項１２】
前記第一ウエブは、第一ウエブ第一縁部、前記第一ウエブ第一縁部とは反対側の第一ウエブ第二縁部、及び前記第一ウエブ第一縁部と前記第一ウエブ第二縁部との間の第一ウエブ内部を有し、
前記第二ウエブは、第二ウエブ第一縁部、前記第二ウエブ第一縁部とは反対側の第二ウエブ第二縁部、及び前記第二ウエブ第一縁部と前記第二ウエブ第二縁部との間の第二ウエブ内部を有し、
前記第一ウエブ第一縁部を前記第一ウエブ第二縁部に取り付け、前記第二ウエブ第一縁部を前記第二ウエブ第二縁部に取り付けて、腰部開口及び１対の脚部開口を形成することを特徴とする請求項１１に記載の方法。
【請求項１３】
前記第一ウエブ第一縁部を前記第一ウエブ第二縁部に取り付け、前記第二ウエブ第一縁部を前記第二ウエブ第二縁部に取り付ける段階が、前記腰部開口から前記脚部開口に取り付けられる１対の側部シームを形成することを特徴とする請求項１２に記載の方法。
【請求項１４】
前記衣類本体ウエブに前記股部開口を形成する前記段階は、
前記第一ウエブの一部を除去して前記第一ウエブに第一開口を形成し、
前記第二ウエブの一部を除去して前記第二ウエブに第二開口を形成することからなり、
前記第一開口及び前記第二開口は、少なくとも一部が整列されることを特徴とする請求項１１に記載の方法。
【請求項１５】
前記衣類本体ウエブの一部を向ける前記段階が、前記第一ウエブ及び第二ウエブの１つの一部を前記機械横方向に向けて、前記折り畳み部分を形成することを特徴とする請求項１１に記載の方法。
【請求項１６】
前記折り畳み部分は、前記股部開口に少なくとも部分的に重ねられることを特徴とする請求項１５に記載の方法。
【請求項１７】
前記折り畳み部分は、前記吸収性組立体に少なくとも部分的に重ねられることを特徴とする請求項１５に記載の方法。
【請求項１８】
前記吸収性組立体は前記第一ウエブ上に配置され、前記衣類本体ウエブを向ける前記段階は、前記第二ウエブの一部を前記機械横方向に向けて、前記股部開口に少なくとも一部が重なるように前記折り畳み部分を定めることを特徴とする請求項１５に記載の方法。
【請求項１９】
前記吸収性組立体は前記第一ウエブ上に配置され、前記衣類本体ウエブを向ける前記段階は、前記第一ウエブの一部を前記機械横方向に向けて、前記吸収性組立体に少なくとも一部が重なるように前記折り畳み部分を定めることを特徴とする請求項１５に記載の方法。
【請求項２０】
機械方向及び機械横方向を有し、衣類を製造するための方法であって、
機械方向に衣類本体ウエブを移送し、
前記衣類本体ウエブに股部開口を形成し、
前記衣類本体ウエブの一部を前記機械横方向に向けて、前記股部開口の少なくとも一部に重ねて重なり部分を形成し、
前記衣類本体ウエブを開いた状態にして、前記重なり部分上に吸収性組立体を配置する
ことを特徴とする方法。
【発明の詳細な説明】
【技術分野】
【０００１】
本出願は、吸収性組立体を含む衣類の製造方法という名称で、２００４年４月３０日に米国特許商標庁に出願された、特許出願一連番号１０／８３７，３４３の一部継続出願である。特許出願一連番号１０／８３７，３４３全体は、引用によりここに組み入れられる。
【０００２】
本発明は、一般的には下方胴部の周囲に着用される衣類の製造方法、更に特定的には、吸収性組立体を含む衣類の製造方法に関する。
【背景技術】
【０００３】
ボクサーショーツ又は他のパンツ状衣類などの、下方胴部周囲に着用される衣類は、半耐久性衣類、使い棄て衣類、及び水着を含む種々異なるものに使用される。これらの衣類が、吸収性本体を含むことは有益であることが多く、このような形態では、衣類は、訓練用パンツ、失禁用製品、女性用ケアー製品、及び同様のものとしての用途を持つことができる。
【０００４】
下方胴部周囲に着用される衣類の製造方法は、当業者に知られている。それにも拘わらず、現在使用可能な方法は、美的に望ましくなく、心地よい適合性を与えない衣類を形成するものである。更に、このような方法は、衣類に吸収体を含まないものである。更に、このような方法は、慣習的な股部（すなわち、前部から後部にわたる大きな股部深さの股部）、又は垂下型脚部を持つ衣類を形成するものではない。更に、このような方法は、複雑であることが多く、連続した高速変換には不適当である。
【０００５】
よって、従来の衣類のスタイル及び形状を持ち、吸収体を含む衣類を提供する方法の必要性がある。更に、適当な股部深さを与える前部から後部にわたる股部シームを有する衣類を提供する方法が必要である。更に、自動高速変換システムと関連して使用することが可能な衣類の製造方法が必要である。
【０００６】
【特許文献１】米国特許出願１０／８３７，３４３
【特許文献２】米国特許第６，１９２，５２１号公報
【特許文献３】米国特許第５，０４６，２７２号公報
【特許文献４】米国特許第６，５８５，８４０号公報
【特許文献５】ＰＣＴ公開番号ＷＯ  ０１／８７５６２
【特許文献６】ＰＣＴ公開番号ＷＯ  ０１／８７２１７
【特許文献７】ＰＣＴ公開番号ＷＯ  ０１／８７７５３
【特許文献８】ＰＣＴ公開番号ＷＯ  ０１／８７２１８
【特許文献９】米国特許第４，６６３，２２０号公報
【特許文献１０】米国特許第５，２２６，９９２号公報
【特許文献１１】欧州特許出願ＥＰ０２１７０３２号
【特許文献１２】ＰＣＴ公開番号ＷＯ  ０１／８８２４５
【特許文献１３】ＰＣＴ公開番号ＷＯ  ０２／４９５６５
【特許文献１４】米国特許第４，７０４，１１６号公報
【特許文献１５】米国特許出願１０／７５０３８１
【発明の開示】
【発明が解決しようとする課題】
【０００７】
一態様においては、本発明は、衣類の製造方法に向けられている。この方法は、機械方向及び機械横方向を定め、機械方向に衣類本体を移送することを含む。この方法は、衣類本体が開いた状態にある時、衣類本体ウエブに股部開口を設けて、股部開口の近くに吸収性組立体を配置することを含む。この方法は又、衣類本体ウエブの一部分を機械横方向に向けて折り畳み部分を形成し、該折り畳み部分に吸収性組立体の一部を取り付けることを含む。
【０００８】
別の態様においては、本発明は、衣類の製造方法に向けられ、この方法は、機械方向及び機械横方向を定め、衣類本体ウエブを移送し、衣類本体ウエブ内に股部開口を定めることを含む。この方法は又、衣類本体ウエブを開いた状態にして、股部開口の近くに吸収性組立体を配置することを含む。更にこの方法は、股部開口を横切るように、衣類本体ウエブから衣類シャーシを切り離し、これにより１対の股部開口を形成することを含む。この切り離しは１対の腰部縁を定めるものであり、１対の腰部縁の１つが衣類シャーシに関連するものとなる。この方法は、衣類本体ウエブの部分を機械横方向に向け、吸収性本体の少なくとも一部に重ならせて重なり部分を形成し、吸収性本体の一部を重なり部分に取り付けることを含む。
【０００９】
更に別の態様においては、本発明は、衣類の製造方法に向けられ、この方法は、機械方向及び機械横方向を有し、衣類本体ウエブを移送し、衣類本体ウエブ内に股部開口を設けることを含む。この方法は又、衣類本体ウエブを開いた状態にして、股部開口の近くに吸収性組立体を配置することを含む。更にこの方法は、股部開口を横切るように、衣類本体ウエブから衣類シャーシを切り離し、これにより１対の股部開口を形成することを含む。この切り離しは１対の腰部縁を定めるものであり、１対の腰部縁の１つが衣類シャーシに関連するものとなる。更にこの方法は、衣類本体ウエブの部分を機械横方向に向け、股部開口の少なくとも一部に重ならせて重なり部分を形成し、吸収性本体の一部を重なり部分に取り付けることを含む。
【００１０】
更に別の態様においては、本発明は、衣類の製造方法に向けられ、この方法は、機械方向及び機械横方向を有し、衣類本体ウエブ幅を定める衣類本体ウエブを移送し、衣類本体ウエブ内に股部開口を設けることを含む。この方法は又、衣類本体ウエブを開いた状態にして、股部開口の近くに吸収性組立体を配置することを含む。この方法は又、衣類本体ウエブから衣類シャーシを切り離し、腰部開口及び１対の脚部開口を持つ衣類を形成するように衣類シャーシを配列することを含み、該衣類は、機械横方向のウエブ幅が、衣類本体ウエブ幅より小さいものとなる。
【００１１】
更に別の態様においては、本発明は、衣類の製造方法に向けられ、この方法は、機械方向及び機械横方向を有し、機械方向に衣類本体ウエブを移送し、衣類本体ウエブ内に股部開口を設けることを含む。この方法は又、衣類本体ウエブの一部を機械横方向に向け、股部開口の少なくとも一部に重ならせて重なり部分を定めることを含む。更にこの方法は、衣類本体ウエブを開いた状態にして、重なり部分上に吸収性組立体を配置することを含む。
【００１２】
この結果、本発明は、股部深さ及び吸収性本体を持つ衣類を連続して形成することができ、吸収性組立体ではなく衣類本体が操作される顕著性のある方法を提供するものとなる。
【００１３】
上記及び本発明の他の態様は、より明らかとなるであろうし、本発明は図面及び図面の説明を参照して、更に理解されるであろう。
【００１４】
対応する参照番号は、図面を通してその対応する部分を示す。
【発明を実施するための最良の形態】
【００１５】
（定義）
本出願の内容において、以下の各々の用語又は語句は、次のような意味を含むものである。
【００１６】
「取り付ける」及びその派生語は、２つの要素が結合する、粘着する、連結する、接着する、縫い合わされる、又は同様のことを意味する。２つの要素は、それらが互いに一体であるか、又は互いが直接取り付けられているか、又は各々が中間要素に直接取り付けられている時のように、互いが間接的に取り付けられている場合に、取り付けられているとみなされる。「取り付ける」及びその派生語は、永久的なもの、取り外し可能なもの、又は再締結可能な取り付けを含む。更に、取り付けは、製造工程の間か或いは最終使用者によって完成することができる。
【００１７】
「接着する」及びその派生語は、２つの要素が結合しているか、粘着しているか、連結しているか、取り付けられているか、縫い合わされているか、又は同様の状態にあることを意味する。２つの要素は、互いが直接接着されているか、或いは各々が中間要素に直接接着されている時のように、互いが間接的に接着されている場合に、接着されているとみなされる。「接着する」及びその派生語は、永久的なもの、取り外し可能なもの、又は再締結可能な接着を含む。
【００１８】
「ボクサーショーツ」又は「ショーツ」は、パンツ、トランクス、ブリーフ、及び同様のものを意味し、脚部領域に比較的緩く適合するか、又はぴったり合うものとすることができる。
【００１９】
「連結する」及びその派生語は、２つの要素が結合しているか、粘着しているか、接着されているか、取り付けられているか、縫い合わされているか、又は同様の状態にあることを意味する。２つの要素は、互いが直接連結されているか、或いは各々が中間要素に直接連結されている時のように、互いが間接的に連結されている場合に、連結されているとみなされる。「連結する」及びその派生語は、永久の、取り外し可能な、又は再締結可能な連結を含む。更に、連結は、製造工程の間か或いは最終使用者によって完成することができる。
【００２０】
「使い棄て」は、制限された使用の後、再利用のために洗濯されたり或いは修復されるのではなく、廃棄されることを意図している物品を意味する。
【００２１】
「配置する」、「沿って配置する」又は「に対して配置する」及びこれらの変化した用語は、１つの要素が別の要素と一体とすることができるか、或いは１つの要素が別の要素に接着されるか、又は別の要素の近くに或いは別の要素と位置される分離した構造とすることができることを意味するものである。
【００２２】
「下流側」は、材料が移動する方向において、ある要素又は事柄が、工程の別の要素又は事柄と比較した場合の位置を意味する。
【００２３】
「弾性のある」、「弾性化された」、「弾性」及び「エラストマー性」は、変形を引き起こす力が取り除かれた後、最初の大きさ及び形状を回復しようとすることによる材料又は複合体の特性を意味する。適当なものとしては、弾性材料又は複合体は、その弛緩された長さの少なくとも２５パーセントだけ（１２５パーセントにまで）延伸することができ、かつ付与された力が取り除かれた時、その伸びの少なくとも１０パーセントだけ回復するであろう。望ましくは、弾性材料又は複合体は、その最初の長さの少なくとも１００パーセントだけ（２００パーセントにまで）、より望ましくは少なくとも３００パーセントだけ（４００パーセントにまで）延伸させることができ、付与された力が取り除かれた時、その伸びの少なくとも５０パーセントが回復する。
【００２４】
「布」は、すべての織成され、編まれ、及び不織の繊維性ウエブを意味するものとして使用される。
【００２５】
「前部から後部にわたる股部シーム」は、股部領域を通してパンツ状衣類の前領域から後領域に延びるシームを意味する。このシームは、分離している材料の２片、又は単一片の材料の離れている縁部を結合することができる。
【００２６】
「衣類本体」は、本発明の方法によって製造された物品の、吸収性組立体の部分ではない部分を意味する。
【００２７】
「垂下型脚部」は、衣類の股部の下方に延びる材料を含む下方胴部の周囲に着用される衣類の特徴を意味し、着用者の脚部の少なくとも一部分をほぼ覆うように形成されていて、材料は、着用者の脚部の周囲に緩く適合するか又は着用者の脚部の周囲にぴったりと適合することができ、及び／又は弾性或いは非弾性とすることができる。
【００２８】
「親水性」は、繊維と接触する水性液体によって湿潤される繊維又は繊維の表面を示すものである。材料の湿潤程度は、液体と含まれる材料の接触角度及び表面張力によって表される。特定の繊維材料又は繊維材料の混合物の湿潤性を計測するのに適当な装置及び技術は、Ｃａｈｎ  ＳＦＡ−２２２表面張力分析システム、又は実質的には同等のシステムによって得られる。このシステムで計測する場合は、９０度より小さい接触角度を持つ繊維は、「湿潤性」又は親水性と認識され、一方９０度より大きい接触角度を持つ繊維は「非湿潤性」又は疎水性と認識される。
【００２９】
「層」は、単数で使用される場合には、単一の要素又は複数の要素の２つの意味を持つことができる。
【００３０】
「液体不透過性」は、層又は多層積層体を示す場合に使用される時は、通常の条件での使用の下で、液体が接触する点で層又は積層体の平面にほぼ垂直な方向に、尿などの液体が層又は積層体を通過することがないことを意味する。
【００３１】
「機械方向」は、材料が製造工程の間に移動する方向を意味し、機械方向にほぼ横向き及び垂直な方向を意味する「機械横方向」に対向するものである。
【００３２】
「不織」及び「不織ウエブ」は、布織り又は編工程の補助なしに、形成される材料及びウエブの材料を意味する。
【００３３】
「開いた状態」は、衣類本体ウエブが、物品に腰部開口及び１対の脚部開口を形成する前の状態にあることを意味する。衣類本体ウエブは、操作することができ、機械方向又は機械横方向に向けられた部分を持つことができ、或いは、個々の衣類シャーシに分離され場合にも、腰部開口及び脚部開口形状がまだ完成されていなければ、開いた状態とすることができる。
【００３４】
「重なる」は、直接的又は間接的のいずれかで、１つの要素が少なくとも部分的に別の要素を覆うように位置決めされている状態を意味する。１つの要素は、もう一方の要素の下にあり、かつもう一方の要素と重なっていることに留意するべきである。
【００３５】
「パンツ」は、長い長さのもの及び短い長さのパンツを含む。
【００３６】
「延伸可能な」は、破壊することなく、少なくとも１つの方向に少なくとも２５％だけ（最初の（延伸されていない）長さの１２５％に）、適当なものとしては、少なくとも１００％だけ（最初の長さの２００％に）、望ましいものとしては、少なくとも１５０％だけ（最初の長さの少なくとも２５０％に）延伸されることを意味する。
【００３７】
「上流側」は、材料が移動する方向において、ある要素又は事柄が、工程の別の要素又は事柄と比較した場合の位置を意味する。
【００３８】
これらの用語は、本明細書の残りの部分において、別の言語により定義されることがある。
【００３９】
図面を参照すると、下方胴部の周囲に着用される衣類の製造方法が、参照番号１００（図１、２、３及び図４）により、その全体を示されている。工程１００は、ボクサーショーツ又はショーツ１０の形成に関して示されているが、本発明の工程は、腰部開口、１対の脚部開口、及び任意には垂下型脚部を持つパンツ、トランクス、ブリーフ、及び下方胴部の周囲に着用することができる他の衣類に同等に適用することができることが容易に認識される。本発明のショーツ１０は、衣類本体を含むことができ、更に以下に詳細に示されるように、吸収性組立体６０を含むことができる。このような衣類及びこれらを形成する方法は、２００１年２月２７日付けのＡｌｂｅｒｔｓ他の米国特許第６，１９２，５２１号に記載されており、一貫性がある範囲で（すなわち矛盾しない範囲で）引用によりここに組み入れられる。
【００４０】
本発明の様々な態様の工程１００は、矢印１０２に示される機械方向、及び矢印１０４に示される、機械方向１０２に垂直な機械横方向を定める。工程１００は又、機械方向１０２及び機械横方向１０４により形成される平面に垂直な、矢印１０６で示される直交方向を定める。更に、この工程は、機械方向１０２に延びる工程中央ライン１０８を定める。
【００４１】
示された態様においては、工程１００は、直交方向１０６がほぼ垂直である態様を示している。しかしながら、当業者に容易に認識されるように、本発明の直交方向１０６は、ほぼ水平方向か、或いはそうでなければ水平に方向付けることができ、これは本発明の範囲内とする。
【００４２】
この方法は、機械方向１０２に衣類本体ウエブ１４０を移送することを含む。衣類本体ウエブ１４０は、ショーツ１０の衣類本体を互いに形成するあらゆる材料の組み合わせを含むことができる。衣類本体ウエブ１４０は、単一ウエブ又は複数のウエブから形成される。例えば、衣類本体ウエブ１４０は、第一ウエブ１１０及び第二ウエブ１２０を含むことができる。すなわち、第一ウエブ１１０及び第二ウエブ１２０が準備され、機械方向１０２に移送されて衣類本体ウエブ１４０を形成することができる。更に、衣類本体ウエブ１４０は、実質的に機械方向１０２に延びる１対の両側の衣類本体ウエブ側部縁１４２及び機械横方向１０４の衣類本体ウエブ幅１４２を定める。
【００４３】
別の代替例においては、第一ウエブ１１０及び第二ウエブ１２０は、別々のウエブによって形成されるか、或いは代替的には、単一ウエブを機械方向１０２まわりに折り曲げ、後で順次切り離す（図示されず）ことにより形成できることが分かる。図１、２、３及び図４に示されているように、ウエブ１１０及び１２０は、実質的に互いに重ね合わせ関係とすることができる。
【００４４】
衣類本体ウエブ１４０の第一ウエブ１１０は、第一ウエブ第一縁部１１２及び該第一ウエブ第一縁部１１２とは反対側の第一ウエブ第二縁部１１４、及び第一ウエブ第一縁部１１２と第一ウエブ第二縁部１１４の間の第一ウエブ内部１１５を定める。第一ウエブ１１０は又、第二ウエブ１２０と向き合った関係の第一ウエブ内部表面１１６、及び第一ウエブ内部表面１１６とは反対側の第一ウエブ外側表面１１８を定める。
【００４５】
衣類本体ウエブ１４０の第二ウエブ１２０は、第二ウエブ第一縁部１２２及び該第二ウエブ第一縁部１２２とは反対側の第二ウエブ第二縁部１２４、及び第二ウエブ第一縁部１２２と第二ウエブ第二縁部１２４の中にある第二ウエブ内部１２５を定める。第二ウエブ１２０は又、第一ウエブ１１０と向き合った関係の第二ウエブ内部表面１２６、及び第二ウエブ内部表面１２６とは反対側の第二ウエブ外側表面１２８を有する。
【００４６】
図１、２、３及び図４に示されているように、ウエブ１１０及び１２０は、少なくとも部分的に向き合った関係で設けられ、実質的に完全に向き合った関係とすることができる。例えば、第二ウエブ内部表面１２６は、第一ウエブ内部表面１１６と少なくとも部分的に向き合った関係とすることができる。第一及び第二ウエブ内部及び外側表面１１６、１１８、１２６、及び１２８は、衣類が形成されるときに、結果として生じる衣類の身体対向表面２８及び外側表面３０に対応する必要はないことに留意するべきである。
【００４７】
ほぼ水平方向に工程１００を通して、衣類本体ウエブ１４０を通過させるように形成された工程１００が、図１−４に示されている。それにもかかわらず、当業者に容易に認識されるように、工程１００は、ほぼ垂直な又は他の方向に工程１００を通して、衣類本体ウエブ１４０を通過させるように形成され、これも本発明の範囲内とすることができる。適当なものとしては、衣類本体ウエブ１４０は最初に、ほぼ平面位置で工程１００にもたらされる。例えば、衣類本体１４０が第一ウエブ１１０及び第二ウエブ１２０により形成される場合の形態においては、ウエブ１１０及び１２０は最初に、ウエブ縁部１１２、１１４、及び１２２、１２４が離れた関係で工程１００にもたらされる。
【００４８】
衣類本体ウエブ１４０は、ショーツ１０を形成するために適当な布のいずれとすることもできる。特定的には、衣類本体ウエブ１４０は、肌に対して心地よく、刺激のない適当な材料とすることができる。ショーツ１０は、使い棄て或いは耐久性のあるもの（すなわち洗濯可能な）のいずれかとすることが考えられるので、不織材料及び織成材料の両方が衣類本体ウエブ１４０として考慮される。例えば、衣類本体ウエブ１４０は、弾性で、延伸可能な、或いは非延伸可能な材料を含む、広く種々異なる材料から選択される。当業者に知られているあらゆる他の型の不織積層体或いは織成布又は編布も使用することができる。衣類本体ウエブ１４０は、材料の単一層又は多層積層体構造とすることができる。更に上記したように、衣類本体ウエブ１４０は、複数のウエブの形（例えばウエブ１１０及び１２０）で準備される。
【００４９】
衣類本体ウエブ１４０に適当な他の材料は、延伸可能な不織材、延伸不能な不織材、及びスパンデックス及び／又は延伸可能なフィルムを含む不織積層体を含む。スパンデックスは、主にポリウレタンで形成される種々の弾性布繊維のいずれかである。ＬＹＣＲＡ（登録商標）は、米国デラウエア州ウイルミントンのＥ．Ｉ．ｄｕ  Ｐｏｎｔ  ｄｅ  Ｎｅｍｏｕｒｓ  ａｎｄ  Ｃｏｍｐａｎｙから商業的に入手可能なスパンデックスの商品である。代替的には、メルトブローン積層体が、不織積層体の適当な型となる。衣類本体ウエブ１４０は、ショーツ１０に比較的布のような手触りを与えることが望ましい。更に、衣類本体ウエブ１４０は、必ずしも必要ではないが、身体をある程度まで覆い、順応する能力を持つことが望ましい。更に材料は、不透明とすることができるが、不透明である必要はない。最後に、衣類本体ウエブ１４０を形成するために使用される材料は、すべて材料の型と同じとするか、或いは衣類本体ウエブ１４０は、異なる材料から形成される。例えば、衣類本体ウエブ１４０が第一ウエブ１１０及び第二ウエブ１２０から形成される場合は、第一ウエブ１１０は、第二ウエブ１２０と同じ材料とすることもできるし、或いは同じ材料ではなくてもよい。
【００５０】
衣類本体ウエブ１４０は、当業者に知られている様々な方法による工程１００に準備し、更に工程を通して移送される。例えば、衣類本体ウエブ１４０は、駆動ロール、ベルトコンベア、チェーンコンベア、及び同様のもの、又はこれらの組み合わせ（図示されず）によって、工程１００を通して繰り出され、かつ引き出される。
【００５１】
本発明の工程１００の様々な態様においては、衣類本体ウエブ１４０は、股部シーム５６を含むことができる。衣類本体ウエブ１４０は、股部シーム５６が既に形成された状態で工程１００にもたらされるか、或いは股部シームは、工程１００の途中で衣類本体１４０に組み込まれる。
【００５２】
例えば、図１、２、３及び図４に示されているように、衣類本体１４０は、ウエブ１１０及び１２０を含み、これらは互いに取り付けられ、股部シーム５６を形成する。特定の態様においては、衣類本体ウエブ１４０の離れた部分は、選択された位置で互いに取り付けられ、複数の股部シーム５６を形成する。シーム５６は、実質的には連続したものとすることができるか、又は一連の断続的接着部によって形成される。股部シーム５６は、望ましい結果を形成するために様々な形状とすることができる。例えば、股部シーム５６は、全体的に直線で囲まれたもの、曲線で囲まれたもの（例えば円又は楕円）、全体的に「Ｄ」形状、又は全体的に「Ｕ」形状とすることができる。特定の態様においては、股部シーム５６は、少なくとも部分的に曲線で囲まれた形状とすることができ、改善された適合性及び心地よさを衣類に与える。
【００５３】
股部シーム５６は、当業者に知られているような様々な方法で接着装置１３２によって衣類本体ウエブ１４０に形成される。例えば、股部シーム５６は、機械方向１０２を移動する間に、衣類本体ウエブ１４０の部分を接着する（例えば、第一ウエブ１１０を第二ウエブ１２０に接着する）ことにより形成される。この接着は、向き合った関係で回転する超音波又は熱接着輪を使用して達成され、股部シーム５６を形成する。例えば、ニップを定めるアンビル輪及びホーン輪が、股部シーム５６を形成するために使用される。代替的には、接着剤、縫い合わせ又は同様のものなどの、当業者に知られているあらゆる適当な接着法を使用することができる。
【００５４】
本発明の工程１００は、更に衣類本体ウエブ１４０に股部開口５４を形成することを含むことができる。例えば、衣類本体１４０の一部分が、股部開口５４を準備するために工程１００において除去される。代替的には、衣類本体ウエブ１４０は、一つ又は一連の股部開口５４が既に形成された状態で、工程１００にもたらされる。特定の態様においては、本発明の工程１００は、一連の股部開口５４を離れた関係で形成するために、衣類本体ウエブ１４０の部分を選択的に除去することを含むことができる。適当なものとしては、股部開口５４の境界は、衣類本体側部縁１４２の完全に内側に位置される。
【００５５】
特定の態様においては、図１、２、３及び図４に示されているように、本発明の工程１００は更に、第一ウエブ１１０の一部分を選択的に除去して、第一ウエブ除去部分１１９を定める。更に、本発明の工程１００は、第二ウエブ１２０の部分を選択的に除去して第二ウエブ除去部分１２９を定めることができる。上記したように、ウエブ１１０及び１２０の除去部分１１９及び１２９は、第一ウエブ内部１１５及び第二ウエブ内部１２５内に位置される。適当なものとしては、衣類本体ウエブ１４０が多層の材料を含む時は、除去部分１１９及び１２９は、衣類本体ウエブ１４０を貫通する股部開口５４を定めるために、ほぼ整列状態とする。例えば、図１−４に示されるように、ウエブ１１０及び１２０の除去部分１１９及び１２９は、第一ウエブ内部１１５及び第二ウエブ内部１２５内に共通する開口５４を定めるように、互いがほぼ整列状態とする。
【００５６】
股部開口５４は、ショーツ１０の衣類本体に股部ギャップを与えるのに適当な形状のいずれかとすることができる。例えば、開口５４は、長方形、楕円形、曲線形、直線形、及び同様のもの、或いはこれらの組み合わせとすることができる。特定的には、図１、２、３及び図４に示されているように、股部開口５４は、機械方向１０２に細長く、少なくとも部分的には曲線形とすることができる。股部開口５４は、機械方向１０２にほぼ延びる１対の側部縁５７を定めることができる。股部開口５４は、機械方向１０２に延びる開口中央ライン５５を定めることができる。
【００５７】
更に、股部開口５４は、１対の端部縁を定めることができる。例えば、開口５４は、上流側の端部縁５８及び上流側の開口端部縁５８とは反対側の下流側の端部縁５９を定めることができ、各々はほぼ機械横方向１０４に延びる。適当なものとしては、上流側又は下流側の端部縁５８及び５９の少なくとも１つは曲線形とし、更により適当なものとしては、端部縁５８及び５９の両方が曲線形（図１、２、３及び４）とする。代替的には、上流側又は下流側の開口端部縁５８及び５９の少なくとも１つは、もう一方の開口端部縁５８又は５９が曲線形の場合には、実質的に、機械横方向１０４に平行にすることができる。
【００５８】
股部開口５４は、工程中央ライン１０８の近くに適当に位置される。例えば、開口中央ライン５５は、工程ライン１０８に近接し、かつ、平行にすることができる。特定の実施形態においては、開口中央ライン５５は、工程中央ライン１０８と重なることができる（図１、３及び４）。代替的には、開口中央ライン５５は、工程中央ライン１０８から機械横方向１０４にオフセットされる（図２）。このような形態においては、ショーツ１０は、ショーツ１０の前部領域２２において、又はショーツ１０の後部領域２４において、かなりの大きさの股部深さを形成するように適合させることができる。
【００５９】
股部開口５４の形成は、当業者に知られている様々な方法によって達成される。例えば、衣類本体ウエブ１４０の一部又は部分は、切断ロール、ダイ切断組立体、水切断装置、又は超音波カッター、或いはこれらの組み合わせなどの切断装置１３４によって除去される。代替的には、当業者に知られている他の適当な切断法も使用することができる。更に別の代替例においては、衣類本体１４０の部分は孔形成され、工程１００において順次除去されて、股部開口５４を形成することができる。
【００６０】
股部シーム５６を形成する段階及び股部開口５４を形成する段階は、特定の順序で成される必要はなく、更に順次的に行う必要もないことに留意するべきである。例えば、股部開口５４の形成は、股部シーム５６の形成前に行うか、或いは代替的には、図３に示されるように、股部シーム５６の形成は、股部開口５４の形成の前に行われる。更に別の代替例においては、股部シーム５６の形成は、股部開口５４の形成と同時に行うことができる（図１、２及び図４）。例えばこれは、切断も可能な超音波接着を利用して達成される。
【００６１】
容易に認識されるように、股部開口５４及び股部シーム５６は、衣類本体ウエブ１４０内に必要に応じて配置され、衣類本体ウエブ１４０内で互いに適当に近くに位置決めされるか、或いは組み合わされる。例えば、図１−４に示されているように、股部シーム５６は、股部開口５４に近接して位置される。更に図１−４に示されているように、股部シーム５６は、部分的に又は完全に股部開口５４を取り囲むことができる。
【００６２】
更に、以下に詳細に示しているように、衣類本体ウエブは、個々の衣類シャーシ１５０に分離される。この分離は、股部シーム５６と連結した股部開口５４が、１対の連結した股部シーム５６及び股部開口５４に分離する段階によって分けられるように行われ、１つの股部シーム５６及び１つの股部開口５４が衣類シャーシ１５０と連結される。
【００６３】
本発明の様々な態様においては、工程１００は、衣類本体ウエブ１４０上に吸収性組立体６０を配置することを含む。例えば、図１−４に示されているように、吸収性組立体６０は、股部開口５４の近くで衣類本体ウエブ１４０上に配置することができる。特定的に、衣類本体ウエブ１４０が第一及び第二ウエブ１１０及び１２０によって形成される場合は、吸収性組立体６０は、ウエブ１１０及び１２０の少なくとも１つの上に配置することができる。例えば、図１−４に示されているように、吸収性組立体６０は、股部開口５４の近くの第一ウエブ１１０上に適当に配置される。
【００６４】
吸収性組立体６０は、当業者に認識されるように、工程１００全体の様々な点で、衣類本体ウエブ１４０上に配置される。適当なものとしては、吸収性組立体６０は、衣類本体ウエブを開いた状態にして、衣類本体ウエブ１４０上に配置される。すなわち、衣類本体ウエブ１４０は、完全に平らな位置にあり、かつ、依然として開いた状態にあるようにすることができる。更に、以下に詳細に説明するように、衣類本体ウエブ１４０の部分は、機械方向１０２又は機械横方向１０４に向けられ、かつ衣類本体ウエブ１４０は、開いた状態にある。このように、衣類本体ウエブ１４０の部分が、腰部開口５０及び１対の脚部開口５２を形成するために互いに取り付けられていない場合は、衣類本体ウエブ１４０は開いた状態にある。特定の態様においては、更に図１−４に示されるように、衣類本体ウエブ１４０は、第一ウエブ１１０及び第二ウエブ１２０により形成される。このような形態においては、ウエブ１１０及び１２０の少なくとも１つの縁部１１２、１１４及び１２２、１２４が離れた関係にあり、したがって衣類本体ウエブ１４０が開いた状態にある時、吸収性組立体６０は、ウエブ１１０及び１２０の少なくとも１つの上に配置することができる。
【００６５】
本発明の吸収性組立体６０は、衣類本体ウエブ１４０の上に配置された時、機械方向１０２に延びる吸収性組立体中央ライン６１を定めることができる。適当なものとしては、吸収性組立体６０が衣類本体ウエブ１４０の上に配置される時、吸収性組立体中央ライン６１は、開口側部縁５７の１つに近くに置かれる（図１−４）。このような配列においては、吸収性組立体６０は、股部開口５４の少なくとも一部に重なることができる。より適当なものとしては、吸収性組立体中央ライン６１は、開口側部縁５７の１つに近接して配置され、かつ工程中央ライン１０８と平行又はほぼ平行とすることができる。
【００６６】
吸収性組立体６０は、吸収性組立体６０の形態及びショーツ１０のスタイルに応じて、多くの方法で衣類本体ウエブ１４０上に配置することができる。例えば、図４に示されるように、単一の吸収性組立体６０は、衣類本体ウエブ１４０が個々の衣類本体シャーシ１５０に分離される前に、各々の股部開口５４に組み合わせることができる。このような形態においては、衣類本体ウエブ１４０が個々の衣類シャーシ１５０に分離される時、開口５４及び吸収性組立体６０の両方は、１対の開口５４及び１対の吸収性組立体６０に分けられ、１つの１対の股部開口５４及び１つの１対の吸収性組立体６０が衣類シャーシ１５０と組み合わされる。
【００６７】
代替的には、衣類本体ウエブ１４０が個々の衣類シャーシ１５０に分離された後、単一の吸収性組立体６０が各々の股部開口５４に組み合わされる。すなわち、図２に示されているように、股部開口５４は、衣類本体ウエブ１４０を個々の衣類シャーシ１５０に分離する時、１対の股部開口１５０に分けられる。その結果、吸収性組立体６０は、吸収性組立体６０が各々の股部開口５４の近くで、衣類本体ウエブ１４０上に配置される。
【００６８】
別の代替例においては、複数の吸収性組立体６０は、各々の股部開口５４の近くで衣類本体ウエブ１４０上に配置される。上記したように、吸収性組立体６０は、衣類本体ウエブ１４０を開いた状態にして、衣類本体ウエブ上に配置される。例えば、図１に示されるように、２つの吸収性組立体６０は、衣類本体ウエブ１４０が個々の衣類シャーシ１５０に分離される前に、股部開口５４の近くに配置される。したがって、衣類本体ウエブ１４０が、個々の衣類シャーシ１５０に分離される時、この分離は、股部開口５４を横方向に横切り、股部開口５４を１対の股部開口５４に分割し、更に各々の股部開口５４が、各々の吸収性組立体６０に付随するようにすることができる。このような配列においては、各々の吸収性組立体６０は、股部開口５４の近くで衣類本体ウエブ１４０上に配置され、各々の吸収性組立体６０は、同じ股部開口側部縁５７（図１）上に又は反対側の股部開口側部縁５７（示されず）上にあることに留意するべきである。
【００６９】
上記したように、当業者は、吸収性組立体６０のスタイル及びショーツ１０のスタイルに応じて、更なる代替例を容易に考えることができる。例えば、上記したように、１対の吸収性組立体６０は、衣類本体ウエブ１４０が個々の衣類シャーシ１５０に分離される前に、各々の股部開口５４と組み合わされる。このような配列においては、吸収性組立体は、互いの近くの各々の吸収性組立体端部縁６６に置かれる。したがって、吸収性組立体６０は、最終ショーツ１０の腰部開口５０に近接することができる。反対に、吸収性組立体端部縁６６は、衣類本体ウエブ１４０上に配置される時、互いから離れた関係にある状態とすることができ、更にショーツ１０の吸収性組立体６０と腰部開口５０の間にギャップを形成することができる。
【００７０】
本発明の様々な態様の工程１００は、衣類本体ウエブ１４０の少なくとも一部分を機械横方向に向けて、折り畳み部分を定めることを含む。折り畳み部分は、第一ウエブ重なり部分及び／又は第二ウエブ重なり部分のような、重なり部分を有することができる。更に詳細に以下に示されているように、機械横方向１０４における衣類本体ウエブ１４０の少なくとも一部の方向付けは、衣類本体ウエブ１４０が個々の衣類シャーシ１５０に分離される前、又はその後に行われることができる。
【００７１】
例えば、１つの態様においては、更に図１−４に示されるように、第二ウエブ１２０が機械横方向１０４に向けられて、折り畳み部分を定める。適当なものとしては、第二ウエブ第一縁部１２２又は第二ウエブ第二縁部１２４のいずれかに近い第二ウエブ１２０の一部が、工程中央ライン１０８及び両側の縁部１２２又は１２４の方に、機械横方向に向けされ、折り畳み部分が股部開口５４に少なくとも部分的に重なって、第二ウエブ重なり部分１６０を定める（図１、１Ｂ、２及び３）。例えば、第二ウエブ重なり部分１６０は、股部開口５４全体に重なることができるか、又は代替的には、第二ウエブ重なり部分１６０は、股部開口５４の部分にだけ重なることができる。更に別の代替例においては、第二ウエブ１２０の一部は、機械横方向に方向付けられ、第二ウエブ重なり部分１６０は、実質的に股部開口５４全体に重なり、更に第二ウエブ第一縁部１２２は、第二ウエブ第二縁部１２４に実質的に近接する。
【００７２】
このように、第二ウエブ１２０の一部分を機械横方向１０４に向けるために、第二ウエブ１２０は、第二ウエブ第一縁部１２２から開始して折り畳まれる。その結果、第二ウエブ１２０の部分は、股部シーム５６の近くで工程中央ライン１０８及び第二ウエブ第二縁部１２４に向かって、望ましくは少なくとも部分的に股部開口５４に重なるように折り畳まれる。代替的には、別の態様において、第二ウエブ１２０の一部分は、第二ウエブ第二縁部１２４から開始して折り畳まれる。その結果、第二ウエブ１２０の部分は、股部シーム５６の近くで工程中央ライン１０８及び第二ウエブ第一縁部１２２に向かって、望ましくは少なくとも部分的に股部開口５４に重なるように折り畳まれる。
【００７３】
第二ウエブ重なり部分１６０を形成するために、第二ウエブ１２０は、機械横方向１０４に適当に向けられ、もう一方の第二ウエブ縁部１２２又は１２４に対して、吸収性組立体６０（ウエブ１１０又は１２０上に配置されているかどうかにかかわらず）の望ましい位置に近い方の第二ウエブ縁部１２２又は１２４から折り畳まれる。
【００７４】
例えば、図１−４に示されているように、第二ウエブ第一縁部１２２は、吸収性組立体６０（第一ウエブ１１０上に配置されている）の位置の近傍にある。したがって、第二ウエブ第一縁部１２２は、工程中央ライン１０８及び第二ウエブ第二縁部１２４に向かって機械横方向１０４に方向付けられる第二ウエブ１２０の部分に含まれ、少なくとも部分的に股部開口５４に重なる。
【００７５】
折り畳み部分を定めるために、第二ウエブ１２０を機械横方向１０４に向けることは、吸収性組立体６０がウエブ１１０及び１２０上に配置される前又は後のいずれにでも行うことができる。吸収性組立体６０がウエブ１１０又は１２０の１つの上に配置された後に、第二ウエブ１２０を方向付けすることが行われる場合には、第二ウエブ重なり部分１６０は、吸収性組立体６０の少なくとも一部分に重なるようにすることができる。すなわち、図１、１Ｂ、２、３及び４に示されているように、機械横方向１０４に向けられた第二ウエブ１２０の部分は、股部開口５４に重なり、かつ、折り畳み部分及び第二ウエブ重なり部分１６０を定めるために、吸収性組立体６０と重なるようにすることができる。
【００７６】
更に本発明の様々な態様の工程１００は、折り畳み部分を定めるために、第一ウエブ１１０の少なくとも一部分を機械横方向１０４に向けることを含む。適当なものとしては、第一ウエブ１１０は、機械横方向１０４に向けられ、第一ウエブ１１０の折り畳み部分が、吸収性組立体６０に少なくとも部分的に重なり、第一ウエブ重なり部分１７０を定める。例えば、第一ウエブ重なり部分１７０は、吸収性組立体６０全体に重なるようにすることができるか、或いは、代替的には、図１、１Ｃ、２、３及び４に示されるように、第一ウエブ重なり部分１７０は、吸収性組立体６０の一部分と重なるようにすることができる。更に、第一ウエブ１１０の方向付けに続いて、実質的には吸収性組立体６０全体に、第一ウエブ重なり部分１７０及び第二ウエブ１２０の一部分（図１、１Ｃ、２、３及び４）が重ねられる。
【００７７】
特定の態様においては、第一ウエブ第一縁部１１２又は第一ウエブ第二縁部１１４のいずれかの近傍の第一ウエブ１１０の部分は、工程中央ライン１０８及び対向する縁部１１２又は１１４に向かって、機械横方向１０４に方向付けられる。すなわち、第一ウエブ１１０は、第一ウエブ第一縁部１１２又は第一ウエブ第二縁部１１４から折り畳むことができる。この結果、１つの態様においては、第一ウエブ第一縁部１１２に近位の第一ウエブ１１０の部分は、工程中央ライン１０８及び第一ウエブ第二縁部１１４に向かって、機械横方向１０４に方向付けされ、吸収性組立体６０に少なくとも部分的に重なることができる。更に、第一ウエブ第一縁部１１２近傍の第一ウエブ１１０の部分は、機械横方向１０４に方向付けされ、第一ウエブ第一縁部１１２が第一ウエブ第二縁部１１４に実質的に近接するようにすることができる。
【００７８】
代替的には、別の態様においては、第一ウエブ第二縁部１１４近傍の第一ウエブ１１０の部分は、工程中央ライン１０８及び第一ウエブ第一縁部１１２に向かって、機械横方向１０４に方向付けられ、吸収性組立体６０の少なくとも部分的に重なることができる。更に、第一ウエブ第二縁部１１４に近位である第一ウエブ１１０の部分は、機械横方向１０４に向けられ、第一ウエブ第二縁部１１４は、第一ウエブ第一縁部１１２に実質的に近接したものとなる。
【００７９】
特定の態様においては、折り畳み部分を定め更に第一ウエブ重なり部分１７０を形成するために、第一ウエブ１１０は、機械横方向１０４に適当に方向付けられ、他方の縁部１１２又は１１４と比較して吸収性組立体６０から離れている方の第一ウエブ縁部１１２又は１１４から折り畳まれる。例えば、図１−４に示されているように、第一ウエブ第二縁部１１４は、第一ウエブ第一縁部１１２に比較して、吸収性組立体６０（第一ウエブ１１０上に配置された）の位置から離れており、吸収性組立体６０に重なるように、機械横方向１０４に方向付けされる第二ウエブ１２０の部分に含まれる。更に、第一ウエブ第二縁部１１４は、第一ウエブ第一縁部１１２に実質的に近接して置かれる。更に、開口側部縁５７は、結果として、実質的に直交する方向１０６に配列されるようになる。
【００８０】
第一ウエブ１１０及び第二ウエブ１２０の方向付けは、どんな特定の順序も必要とするものではない。例えば、ウエブ１１０の方向付けは、第二ウエブ１２０の方向付けの前に行うこともでき、反対の場合でもよい。更に上記されたように、第一ウエブ１１０及び第二ウエブ１２０の方向付けは、衣類本体ウエブ１４０が個々の衣類シャーシ１５０に分離する前又は後に行われる。更に、ウエブの方向付けは、連続して行う必要はなく、例えば、ウエブ１１０及び１２０の方向付けの間に別の段階が介在するようにすることができる。しかしながら、第一ウエブ１１０及び第二ウエブ１２０の方向付けの段階が工程１００で行われる形態においては、ウエブ１１０及び１２０の縁部１１２、１１４、１２２及び１２４は、実質的には結果として整列するようになる。
【００８１】
例えば、図１−４に示されているように、第一ウエブ１１０及び第二ウエブ１２０を上記したように機械横方向１０４に向ける時、第一ウエブ第一縁部１１２及び第一ウエブ第二縁部１１４は、実質的に互いに近接して配列される。同様に、上記したように第一ウエブ１１０及び第二ウエブ１２０を機械横方向１０４に方向付けた後、第二ウエブ第一縁部１２２及び第二ウエブ第二縁部１２４は、実質的に互いに近接して配列される。
【００８２】
衣類本体ウエブ１４０の方向付けは、当業者に知られている様々な方法によって達成することができる。例えば、方向付けは、折り畳み板、ブレード折り畳みシステム、空気棒、及び同様のもの、又はこれらの組み合わせなどの折り畳み装置によって達成できる。代替的には、当業者に知られている他の適当な方向付け方法も使用することができる。
【００８３】
本発明の工程１００は、吸収性組立体６０の一部を衣類本体ウエブ１４０に取り付ける段階を含むことができる。例えば、一態様においては、種々異なる形態において、吸収性組立体６０は、ウエブ１１０及び１２０の一方又は両方に取り付けることができる。結果として、ショーツ１０が完成された時、吸収性組立体６０は、前部領域２２で、後部領域２４で、又は領域２２及び２４の両方でショーツ１０に取り付けることができる。更に、吸収性組立体６０は、ショーツ１０の股部領域２６のみに、或いは前部領域２２又は後部領域２４の一方又は両方に取り付けられる時に股部領域２６に任意に取り付けることができる。このように、本発明の工程は、吸収性組立体６０を衣類本体ウエブ１４０に取り付けるための多くの選択肢を提供する。したがって、本発明の工程１００は、様々な吸収性組立体形状の取り付けを受け入れることができ、これは以下に詳細に説明されるであろう。
【００８４】
一態様においては、図１Ｂに示されているように、吸収性組立体６０の少なくとも一部分が、第二ウエブ重なり部分１６０に取り付けられる。代替的には、吸収性組立体６０は、第二ウエブ重なり部分１６０に近接する第一ウエブ１１０の一部分に取り付けられる。別の選択肢においては、吸収性組立体６０は、第二ウエブ重なり部分１６０だけでなく、第二ウエブ重なり部分１６０に近接する第一ウエブ１１０の一部分に取り付けられる。このような配列においては、吸収性組立体は、前部領域２２又は後部領域２４の少なくとも１つでショーツに取り付けられる。
【００８５】
代替的には、図１Ｃに示されているように、吸収性組立体６０の少なくとも一部は、第一ウエブ重なり部分１７０に取り付けることができる。代替的には、吸収性組立体６０は、第一ウエブ重なり部分１７０に近接する第二ウエブ１２０の一部に取り付けることができる。更に別の選択肢においては、吸収性組立体６０は、第一ウエブ重なり部分１７０だけでなく、第一ウエブ重なり部分１７０に近接する第二ウエブ１２０の一部にも取り付けることができる。したがって、上記した形態と同様に、吸収性組立体は、前部領域２２又は後部領域２４の少なくとも１つにおいてショーツに取り付けられる。
【００８６】
更に別の代替例においては、吸収性組立体６０が、第一ウエブ重なり部分１７０、第一ウエブ重なり部分１７０に近接する第二ウエブ１２０の部分、又はこれらの組み合わせに取り付けられる時に、吸収性組立体６０が、第二ウエブ重なり部分１６０、第二ウエブ重なり部分１６０に近接する第一ウエブ１１０の部分、又はこれらの組み合わせに取り付けられる。結果として、吸収性組立体６０は、前部領域２２及び後部領域２４の両方でショーツ１０に取り付けられることになる。適当なものとしては、図１Ｃに示されているように、吸収性組立体６０は、少なくとも第一ウエブ重なり部分１７０及び第二ウエブ重なり部分１６０に取り付けられる。
【００８７】
吸収性組立体６０は、当業者に知られている種々異なる方法によって、衣類本体ウエブ１４０に取り付けることができる。例えば、吸収性組立体６０は、接着剤、超音波接着、圧力接着、縫い合わせ、及び同様のもの、或いはこれらの組み合わせによって取り付けることができる。更に、図１及び２に示されているように、衣類本体ウエブ１４０上に吸収性組立体６０の様々な形態を受け取るために、吸収体は、吸収性組立体６０のいずれの側部にも取り付け材料を有することができる。
【００８８】
吸収性組立体６０は、衣類本体ウエブ１４０に取り外し可能な状態で取り付けられるか、又は再締結可能な状態で衣類本体ウエブ１４０に取り付けられる。ショーツ１０が、耐久性又は半耐久性に形成されてはいるが、使い棄て吸収性組立体６０を含む場合には、このような形態が有益である。例えば、吸収性組立体６０は、フック・ループ型締結用具又は粘着性材料を使用して、衣類本体ウエブ１４０に除去可能な状態で取り付けることができる。
【００８９】
取り付け方法に応じて、吸収性組立体６０に適当な取り付けを形成するために、取り付け材料（すなわち、接着剤、機械締結用具、及び同様のもの）が、吸収性組立体６０、衣類本体ウエブ１４０、又は吸収性組立体６０と衣類本体ウエブ１４０の両方に設けられる。
【００９０】
上記したように、工程１００は更に、衣類本体ウエブ１４０を複数の別個の個々の区分又は衣類シャーシ１５０に分離する段階を含むことができる（図１、２、３及び４）。本発明の工程１００に関して、衣類シャーシ１５０は、分離の段階の後でも衣類本体ウエブ１４０の一部を保持し、工程１００のどこで分離が行われたかに応じて、任意に他のコンポーネント（吸収性組立体６０など）を更に含む。
【００９１】
更に、衣類本体ウエブ１４０を個々の衣類シャーシ１５０に分離することは、衣類本体ウエブ１４０に一対の衣類腰部縁１５２を定めることでもある。特定的には、腰部縁１５２は、向き合った関係で互いに近傍にあり、腰部縁１５２の１つは、衣類シャーシ１５０に組み合わされる。同様に、衣類本体ウエブ１４０の分離は、衣類本体ウエブ１４０に、１対の衣類脚部縁１５４を定めることができる。特定的には、脚部縁１５４は、向き合った関係で互いが近傍にあり、脚部縁５４の１つは、衣類シャーシ１５０に組み合わされる。
【００９２】
本発明の工程１００の様々な態様においては、衣類本体ウエブ１４０を個々の衣類シャーシ１５０に分離する段階は、交互配置された順序で、腰部縁１５２及び脚部縁１５４を形成することができ、すなわち、衣類脚部縁１５４は１つの分離により形成され、衣類腰部縁１５２は、衣類本体ウエブ１４０を衣類シャーシ１５０に続いて分離することによって形成される。したがって、本発明の工程１００は、腰部・腰部、脚部・脚部の順序で形成されるショーツ１０を形成することができる。一般的には、衣類腰部縁１５２及び衣類脚部縁１５４は、機械横方向１０４に実質的に延びることができる。衣類本体ウエブ１４０を衣類シャーシ１５０に分離する段階が１対の腰部縁１５２を定める場合は、分離は、股部開口５４を１対の股部開口５４に分ける。すなわち、分離は、股部開口５４を機械横方向１０４に横切ることができ、これにより１対の股部開口５４を形成し、股部開口５４の１つは、衣類シャーシ１５０と組み合わされる。反対に、衣類本体ウエブ１４０を衣類シャーシ１５０に分離する段階が１対の脚部縁１５４を定める場合は、分離は、１対の近接した股部開口５４の間を機械横方向に、衣類本体ウエブ１４０を横切る。
【００９３】
衣類本体ウエブ１４０を個々の衣類シャーシ１５０に分離することは、工程１００の様々な点で行われる。例えば、股部開口５４が衣類本体ウエブ１４０に準備される前又は後に、衣類本体ウエブ１４０上に吸収性組立体６０を配置する前又は後に、及び衣類本体ウエブ１４０の部分が機械横方向１０４に方向付けられる前又は後に分離が行われる。
【００９４】
衣類本体ウエブ１４０は、当業者に知られている種々異なる方法で衣類シャーシ１５０に分離される。例えば、工程１００は、衣類本体ウエブ１４０を個々の衣類シャーシ１５０に切断する分離装置１３８を含むことができる。特定的には、分離装置１３８は、ダイカッター、水カッター、ロータリーカッター、超音波カッター、又は同様のものとすることができる。
【００９５】
衣類本体ウエブ１４０の部分は、腰部開口及び１対の脚部開口５２を形成するために、互いに配列され、取り付けられて、ショーツ１０を形成することができる。例えば、ウエブ１１０及び１２０の部分は、図１、２及び３に例示的に示されているように、互いに取り付けられる。特定的には第一ウエブ第一縁部１１２は、第一ウエブ第二縁部１１４に取り付けられる。同様に、第二ウエブ第一縁部１２２は、第二ウエブ第二縁部１２４に取り付けられる。したがって、腰部開口５０、１対の脚部開口５２、及び任意に１対の垂下型脚部８０を備えたショーツ１０が、工程１００により形成される（図６）。更に、このような形態においては、ウエブ縁部１１２、１１４、１２２、１２４を互いに結合する時、ウエブ１１０及び１２０は、機械横方向１０４に複合ウエブ幅１４４より小さい衣類ウエブ幅１４６を定めることができる。
【００９６】
特定の態様においては、第一ウエブ第一縁部１１２を第一ウエブ第二縁部１１４に、更に第二ウエブ第一縁部１２２を第二ウエブ第二縁部１２４に取り付けて、１対の側部シーム８２を形成することができる。側部シーム８２は、当業者に知られているように、再締結可能な、及び再締結不可能なシームの両方を含む、如何なる数の形態とすることもできる。側部シーム８２の設置は、１９９１年９月１０日付けのＶｏｇｔ他の米国特許第５，０４６，２７２号に記された方法で、又は２００３年７月１日付けのＡｌｂｅｒｔｓ他の米国特許第６，５８５，８４０号に記された方法で、又はＴｏｍｓｏｖｉｃ他のＰＣＴ公開番号ＷＯ  ０１／８７５６２、Ｄｕｒｒａｎｃｅ他のＰＣＴ公開番号ＷＯ  ０１／８７２１７、Ｃｓｉｄａ他のＰＣＴ公開番号ＷＯ  ０１／８７７５３、及び／又はＶｏｇｔ他のＰＣＴ公開番号ＷＯ  ０１／８７２１８に記された方法で達成することができ、一貫性がある範囲で（矛盾しない範囲で）引用によりここに組み入れられる。特定的に、及び図１−４に示されているように、ウエブ縁部１１２、１１４、１１２、及び１２４は、上記したように、機械横方向１０４にウエブ１１０及び１２０を方向付けることにより位置決めされる。
【００９７】
当業者に知られているように、側部シーム８２は、内側又は外側に突出したシーム（図示されず）、溶接ビードシーム（図示されず）、又は重ね合わせシーム（図６）とすることができ、或いは当業者に知られている他の型のシームとすることができる。側部シーム８２は、腰部開口５０と脚部開口５２の間の距離の一部にのみ接着されるように考慮される。例えば、シーム８２は、例えばランニング用又は運動用衣類の形状において、脚部開口５２上に開口したスリットを残した状態で、腰部開口５０で締結される。代替的には、側部シーム８２は、腰部開口５０からそれぞれの脚部開口５２まで締結される。
【００９８】
任意ではあるが、工程１００は、１対の側部シーム８２及び腰部開口５０及び１対の脚部開口５２を形成するために、ウエブ１１０及び１２０は、異なる時点及び／又は位置で互いに取り付けられて、ショーツ１０を形成するように構成することができる。すなわち、工程１００は、中間衣類要素を形成するように構成され、第一ウエブ第一縁部１１２の第一ウエブ第二縁部１１４への取り付け及び第二ウエブ第一縁部１２２の第二ウエブ第二縁部１２４への取り付けが、別の位置で又は最終使用者によって完成されるようにすることができる。特定的には、縁部１１２、１１４、１２２、及び１２４は、フック・ループ型締結用具のような補足的締結用具を含んで、ウエブ１１０及び１２０が後で互いに取り付けられるようにすることができる。このような配列においては、ショーツ１０は、例えば縁部１１２、１１４、１２２、及び１２４が取り付けられないまま梱包され、最終使用者がウエブ１１０及び１２０を取り付け、注文仕様の適合性を得ることができる。
【００９９】
工程１００は更に、腰部弾性材料７０の衣類本体ウエブ１４０への取り付けを含むことができる。適当なものとして、腰部弾性材料は、衣類本体ウエブが開いた状態にある時、又はより適当なものとして平面形態にある時、衣類本体ウエブ１４０に取り付けられる。
例えば、腰部弾性材料７０の一部分が第一ウエブ１１０に取り付けられ、腰部弾性材料７０の別の部分が第二ウエブに取り付けられる。腰部弾性材料７０は、種々異なる位置でウエブ１１０及び１２０に取り付けることができる。特定の態様において、かつ図３に示されているように、腰部弾性材料７０の一部分は、第一ウエブ第一縁部１１２から第二ウエブ第二縁部１１４に、実質的には機械横方向１０４に延びるようにすることができる。同様に、腰部弾性材料７０の別の部分が、第二ウエブ第一縁部１２２から第二ウエブ第二縁部１２４に、実質的には機械横方向１０４に延びるようにすることができる。適当なものとしては、腰部弾性材料７０は、ウエブ１１０及び１２０の外側表面１１８及び１２８に取り付けられ、更に適したものとしては、腰部弾性材料７０は、ウエブ１１０及び１２０に取り付けられる時に、直交する方向１０６にほぼ整列される（図３）。このような配列においては、ショーツ１０の完成状態では、腰部弾性材料７０は、衣類身体側表面２８上に位置することになるであろう。代替的には、弾性材料７０の部分は、第一及び第二ウエブ内側表面１１６及び１２６に取り付けられ、ショーツ１０の完成状態では、衣類外側表面３０上に位置することになる。
【０１００】
腰部弾性材料７０は、必要に応じて、完成されたショーツ１０の腰部開口５０の近傍に位置するように、衣類本体ウエブ１４０上に配置される。特定の態様においては、腰部弾性材料７０は衣類本体ウエブ１４０上に配置され、股部開口５４の形成前に、更に衣類本体ウエブを個々の衣類シャーシ１５０（図３）に分離する前に、腰部弾性材料７０は、機械横方向１０４に股部シーム５６の一部分を重ね更に横切る。このような配列においては、股部開口５４の形成は、腰部弾性材料７０の部分をショーツ１０の股部領域２６から除去することができる。更に、衣類本体ウエブの分離は、機械横方向に腰部弾性材料７０を１対の腰部弾性材料７０に分けることができる。したがって、対の腰部弾性材料７０の１つが、衣類シャーシ１５０に組み合わされる。
【０１０１】
腰部弾性材料７０は、どんな適当な弾性材料ででも形成することができる。当業者によく知られているように、適当な弾性材料は、天然ゴムのシート、ストランド又はリボン、合成ゴム、又は熱可塑性エラストマー性ポリマーを含む。１つの特定の実施形態においては、例えば、腰部弾性材７０は、米国デラウエア州、ウイルミントンのＥ．Ｉ．ｄｕ  Ｐｏｎｔ  ｄｅ  Ｎｅｍｏｕｒｓ  ａｎｄ  Ｃｏｍｐａｎｙより入手可能なＬＹＣＲＡ（登録商標）の商標名で販売されている複数のドライスピニング法により得られた、撚り合わされたスパンデックスエラストマー性糸を含む。代替的には、弾性材料は、熱延伸積層体（ＳＴＬ）、ネック付与状態で接着した積層体（ＮＢＬ）、可逆的にネック付与した積層体、又は延伸接着した積層体（ＳＢＬ）材料を含む。このようなＳＴＬ、ＮＢＬ、及びＳＢＬ材料の形成法は、当業者によく知られており、１９８７年５月５日付けのＷｉｓｎｅｓｋｉ他の米国特許第４，６６３，２２０号、１９９３年７月１３日付けのＭｏｒｍａｎ他の米国特許第５，２２６，９９２号、１９８７年４月８日付けのＴａｙｌｏｒ他の欧州特許出願番号ＥＰ０２１７０３２、２００１年１１月２２日付けのＷｅｌｃｈ他のＰＣＴ公開番号ＷＯ  ０１／８８２４５に記載されており、その全体は一貫性がある範囲で（すなわち矛盾しない範囲で）引用によりここに組み入れられる。
【０１０２】
上記したように、工程１００は、吸収性組立体６０を衣類本体ウエブ１４０の少なくとも一部に取り付けることを含むことができる。吸収性組立体６０は、一般的に圧縮可能な、順応可能な、肌に刺激を与えない、かつ、液体及びある種の身体排出物を吸収しかつ保持することが可能な、構造のいずれとすることもできる。吸収性組立体６０は、当業者に一般的に使用される、広く種々異なる液体吸収性材料から、広く異なる大きさ及び形状に製造され、更に延伸可能、非延伸可能、又は弾性とすることができる。例えば、吸収性組立体６０は、超吸収性材料として一般的に知られているセルロースフラフウエブ、高吸収性材料の粒状物と混合されたウエブなどの、親水性繊維のマトリックスを適当に含むことができる。特定の実施形態においては、吸収性組立体６０は、木質パルプフラフなどのセルロースフラフ、及び超吸収性ヒドロゲル形成粒状物のマトリックスを含む。適当な超吸収性材料は、米国ミシガン州、ミッドランド所在のＤｏｗ  Ｃｈｅｍｉｃａｌ  Ｃｏｍｐａｎｙ、及びドイツ連邦共和国Ｋｒｅｆｅｌｄ  Ｄ−４７８０５のＳｔｏｃｋｈａｕｓｅｎ  ＧｍｂＨ  ＆Ｃｏ．などの様々な商業的供給元から入手可能である。典型的には、超吸収性材料は、その重量の少なくとも約１５倍の水を吸収することが可能で、望ましくはその重量の約２５倍より多い水を吸収することが可能なものである。
【０１０３】
一実施形態においては、吸収性組立体６０は、木質パルプフラフ及び超吸収性材料の混合物を含む。パルプの１つの適当な型は、米国アラバマ州、チルダーズバーグのＵ．Ｓ．Ａｌｌｉａｎｃｅから入手可能な登録商標ＣＲ１６５４があり、漂白され、主に軟材繊維と約１６パーセントの硬材パルプを含む、高吸収性である硫酸塩木質パルプである。
【０１０４】
吸収性組立体６０は、吸収性組立体６０と相互に向き合った表面に沿って、液体を受け取り、一時的に貯蔵し、及び／又は移動するように主として設計された他の材料を組み込むことができ、これにより吸収性組立体の吸収力を最大にする。１つの適当な材料は、サージ層（図示されず）と言われており、約５０から約１２０グラム／平方メートル（ｇｓｍ）の基本重量を持ち、６０パーセント３デニールのポリエステルの芯／ポリエチレンの鞘を含むＴ−２５６型二成分繊維と４０パーセント６デニールのＴ−２９５型ポリエステル繊維で、どちらも米国ノースカロライナ州サリズベリーのＫｏｓａ  Ｃｏｒｐｏｒａｔｉｏｎより商業的に入手可能である、これらの均一な混合物である通気式ボンデッドカーデッドウエブを含む材料を含む。
【０１０５】
吸収性組立体６０は、使用中に、着用者と対向するように意図されたライナー材料を含むことができる。ライナーは、合成繊維（例えば、ポリエステル又はポリプロピレン繊維）、天然繊維（例えば、木質繊維又は綿繊維）、天然繊維と合成繊維の組み合わせ、多孔性発泡体、網状発泡体、孔形成されたプラスチックフィルム、又は同様のものなどのウエブ材料から広く選択して製造される。適当な液体透過性ライナーは、約２７ｇｓｍの基本重量を持つ不織二成分ウエブである。不織二成分は、スパンボンド二成分ウエブ、又はボンデッドカーデッド二成分ウエブとすることができる。適当な二成分繊維は、日本の大阪に所在するチッソコーポレーションより入手可能なポリエチレン／ポリプロピレン二成分繊維を含む。
【０１０６】
吸収性組立体６０は、使用中に着用者の身体から遠い方の側に向くように意図された、適当な外カバーを含むことができる。外カバーは、実質的には液体不透過性である材料を含むことが望ましい。外カバーは、液体不透過性材料の単一層とするか、又は少なくとも１つの層が液体不透過性である多層積層体構造とすることができる。液体不透過性内側層又は単一層液体不透過性外カバーとして使用するために適当な液体不透過性フィルムは、ニュージャージー州サウスプレインフィールドのＥｄｉｓｏｎ  Ｐｌａｓｔｉｃｓ  Ｃｏｍｐａｎｙより商業的に入手可能な０．０２５ミリメートル（０．７５ｍｉｌ）ポリエチレンフィルムである。液体不透過性材料は、吸収性組立体の内側から蒸気を逃がすことができるように形成されているが、外カバーを通って液体が通過することは妨げる。適当な「通気性」材料は、望ましいレベルの液体不透過性を与えるように被膜又は処理された、多孔性ポリマーフィルム又は不織布から成る。適当な多孔性フィルムは、日本の東京にある三井東圧化学株式会社から商業的に入手可能なＰＭＰ−１フィルム材料、又はミネソタ州ミネアポリスの３Ｍ  Ｃｏｍｐａｎｙから商業的に入手可能なＸＫＯ−８０４４ポリオレフィンフィルムである。
【０１０７】
特定の実施形態においては、吸収性組立体６０は、細く、心地よい、嵩高でないショーツ１０を形成するために薄いものとする。適当な薄い吸収性組立体は、例えば、２００２年６月２７日付けのＳａｗｙｅｒ他のＷＯ  ０２／４９５６５に記載されている薄い吸収体などを使用することができ、この特許は、一貫性がある範囲で（すなわち矛盾しない範囲で）引用によりここに組み入れられる。
【０１０８】
吸収性組立体６０は、身体排出物の横方向流れにバリアを形成するように構成された１対の収容フラップ６２（図５及び６）を任意に含むことができる。収容フラップ６２の適当な構成及び配列は、一般的に当業者によく知られており、１９８７年１１月３日付けのＥｎｌｏｅの米国特許第４，７０４，１１６号に記載されており、一貫性がある範囲で（すなわち矛盾しない範囲で）引用によりここに組み入れられる。
【０１０９】
身体排出物の収容及び／又は吸収を更に促進するために、吸収性組立体６０は、当業者に知られている吸収性組立体腰部弾性材６８及び脚部弾性部材６４（図５及び６）を適当に含むことができる。吸収性組立体腰部弾性材６８は、対向する吸収性組立体端部縁６６に沿って外カバー及び／又はライナーと作動的に結合される。脚部弾性部材６４は、両側の吸収性組立体側部縁６７に沿って外カバー及び／又はライナーと作動的に結合される。
【０１１０】
吸収性組立体の腰部弾性材６８及び吸収性組立体脚部弾性材６４は、あらゆる適当な弾性材料で形成される。当業者によく知られているように、適当な弾性材料は、天然ゴムのシート、ストランド、又はリボン、合成ゴム、或いは熱可塑性エラストマー性ポリマーを含む。１つの特定の態様においては、例えば、脚部弾性材６４は、米国デラウエア州、ウイルミントンのＥ．Ｉ．Ｄｕ  Ｐｏｎｔ  ｄｅ  Ｎｅｍｏｕｒｓ  ａｎｄ  Ｃｏｍｐａｎｙより入手可能なＬＹＣＲＡ（登録商標）の商標名で販売されている、複数のドライスピニング法により得られた、撚り合わされたスパンデックスエラストマー性糸を含むことができる。
【０１１１】
代替的には、パンツ状衣類挿入体を吸収性組立体６０として使用することができる。例えば、パンツ状衣類挿入体は、身体側ライナー、外カバー、身体側ライナーと外カバーの間の吸収性組立体、及び側部パネルを適当に含む。適当な挿入体の例は、ＨＵＧＧＩＥＳ（登録商標）ＰＵＬＬ−ＵＰＳ（登録商標）Ｄｉｓｐｏｓａｂｌｅ  Ｔｒａｉｎｉｎｇ  Ｐａｎｔｓなどの訓練用パンツ、ＧＯＯＤＮＩＧＨＴＳ（登録商標）Ｄｉｓｐｏｓａｂｌｅ  Ｕｎｄｅｒｐａｎｔｓなどの使い棄て下着用パンツを含み、どちらも米国ウイスコンシン州、ニーナのＫｉｍｂｅｒｌｙ−Ｃｌａｒｋ  Ｃｏｒｐｏｒａｔｉｏｎより製造されている。他の代替的挿入体は、２００３年１２月３０日付けのＦｉｔｔｏｎの米国特許出願番号１０／７５０３８１に記載されているような魚型挿入体を含む。
【０１１２】
別の代替物においては、パッド型吸収体を、吸収性組立体として使用できる。パッド型吸収体は、ショーツ１０の股部領域２６に取り付けられる。適当なパッド型吸収体の例は、ＫＯＴＥＸ（登録商標）Ｆｅｍｉｎｉｎｅ  Ｎａｐｋｉｎｓ、ＫＯＴＥＸ（登録商標）ＬＩＧＨＴＤＡＹＳ（登録商標）Ｐａｎｔｉｌｉｎｅｒｓなどの女性用ケアーパッド、又はＰＯＩＳＥ（登録商標）Ｆｅｍｉｎｉｎｅ  Ｇｕａｒｄｓ  ａｎｄ  Ｐａｄｓ或いはＤＥＰＥＮＤ（登録商標）Ｇｕａｒｄｓ  ｆｏｒ  Ｍｅｎなどの失禁用吸収性パッドがあり、これらすべては、米国ウイスコンシン州、ニーナのＫｉｍｂｅｒｌｙ−Ｃｌａｒｋ  Ｃｏｒｐｏｒａｔｉｏｎより製造されている。
【０１１３】
更に、吸収性組立体６０は、平坦な形態で準備されるか、又は改善された適合性及び性能のために、１つ又は複数の折り部を設ける（図１−４）。例えば、図１−３に示されているように、吸収性組立体６０は、単一の折り部を含むことができる。代替的には、図４に示されているように、吸収性組立体６０は、衣類本体ウエブ１４０が個々の衣類シャーシ１５０に分離される前に、最初に１対の対向する折りを含むようにすることができる。
【０１１４】
図６に示されているように、本発明の工程１００により形成されたショーツ１０の実施形態は、前部領域２２、後部領域２４、股部領域２６、着用者と接触するように形成された身体側表面２８、及び着用者の身体表面から離れた側に向くように形成された、身体側表面２８に対向する外側表面３０を含むことができる。ショーツ１０は又、１対の両側の腰部縁を定め、これは前腰部縁３８及び後腰部縁３９を指示する。前部領域２２は、前腰部縁３８と連続し、後部領域２４は後腰部縁３９と連続する。前部領域２２は、着用した時、着用者の前部に位置決めされるショーツ１０の部分を含み、後部領域２４は、着用した時、着用者の後部に位置決めされるショーツ１０の部分を含む。ショーツ１０の股部領域２６は、着用した時、着用者の脚部の間に位置決めされ、更に着用者の下方胴部を覆うショーツの部分を含む。
【０１１５】
図６に示されているように、前部領域２２と後部領域２４とは側部シーム８２で結合され、ショーツ１０の左側部と右側部は股部シーム５６で結合されて、腰部開口５０及び脚部開口５２を備えた１対の垂下型脚部８０を持つ、３次元ショーツ形態を定める。特定の態様においては、股部シーム５６は、実質的に前腰部縁３８で始まり、股部領域２６を通って延び、実質的に後腰部縁３９で終わる経路をたどるようにすることができる。代替的実施形態においては、股部シーム５６は、前部領域２２の前腰部縁３８の下から始まり、後部領域２４の後腰部縁３９の下で終わる経路をたどるようにすることができる。当業者に知られているように、股部シーム５６は、内側に突出したシーム又は重ね合わせシーム（図示されず）とすることができる。代替的には、股部シーム５６は、外側に突出したシームとすることができる。
【０１１６】
特定の実施形態においては、上記したように、ショーツ１０は、吸収性組立体６０を含むことができる。吸収性組立体６０は、前腰部縁３８及び／又は後腰部縁３９、或いは前部領域２２及び後部領域２４の前部腰部縁３８及び／又は後腰部縁３９の下の幾つかの点で、ショーツ１０に取り付けられる。代替的には又は追加して、吸収性組立体６０は、股部領域２６でパンツ１０に取り付けられる。
【０１１７】
本発明の工程１００は、衣類本体ウエブ１４０を機械方向１０２に移送し、更に上記し、かつ図面に示したような工程段階の少なくとも一部分を遂行することにより、一連の衣類（すなわちショーツ１０）を形成するのに適当である。容易に認識できるように、工程１００の連続した股部開口５４と股部シーム５６の間の距離は、垂下型脚部８０により形成される脚部の覆いが望ましい長さで供給できるように、種々異ならせることができる。つまり、長めの垂下型脚部８０が望ましい場合には、連続した股部開口５４と接着点５６の間の距離を多くし、短めの垂下型脚部８０が望ましい場合は、その反対とする。
【０１１８】
したがって、本発明は、下方胴部で着用される衣類を形成することができる工程１００を提供する。特定的には、本発明は、吸収性組立体６０を含む衣類を容易に形成し、更に高速工程で実行することができる、連続した工程１００を提供する。更に、本発明の工程１００は、着用者に改善された適合性及び心地よさを与えるための、前部から後部にわたる大きな股部深さの股部シームを持ち、従来の方法を使用して形成された衣類にかなり類似した衣類を形成する。このように、本発明の工程１００は、垂下型脚部、股部深さ及び吸収性組立体を持つ、美的に喜ばれる衣類を大量生産することができる。
【０１１９】
本発明の範囲から外れることなく、上記した構成及び方法において様々な変更を行なうことができ、上記した説明に含まれ、添付した図面に示されるすべてのことは、説明として解釈され、限定的なものではない。
【０１２０】
本発明又は本発明の言及された態様における要素を説明する場合に、「１つの」、「その」又は「前記の」という単語は、１つ又はそれより多い要素があると言うことを意味する。「成る」、「含む」及び「持つ」という用語は、包括的であるという意味で、挙げられた要素の他に付加的要素があるかもしれないことを意味する。
【図面の簡単な説明】
【０１２１】
【図１】本発明による方法の一態様の平面図である。
【図１Ａ】図１において分りやすくするために断面の背景部分を省略して示す断面図である。
【図１Ｂ】図１において分りやすくするために断面の背景部分を省略して示す断面図である。
【図１Ｃ】図１において分りやすくするために断面の背景部分を省略して示す断面図である。
【図２】図１に類似した、本発明による方法の別の態様の平面図である。
【図３】図１及び図２に類似した、本発明による方法の更に別の態様の平面図である。
【図４】図１、２及び図３に類似した、本発明による方法の更に別の態様の平面図である。
【図５】本発明による方法の一態様により形成された、部分的に完成した衣類の斜視図である。
【図６】本発明による方法の一態様により形成された、完成した衣類の斜視図である。
【符号の説明】
【０１２２】
１０  ショーツ
２２  前部領域
２４  後部領域
５０  腰部開口
５２  脚部開口
５６  股部シーム
６０  吸収性組立体
７０  腰部弾性材
８０  垂下型脚部
８４  側部シーム
１００  工程
１０２  機械方向
１０４  機械横方向
１０６  直交方向
１１０  第一ウエブ
１２０  第二ウエブ
１３２  接着装置
１３４  切断装置
１３８  分離装置
【図１】
2007535622.tif 000003
【図１Ａ】
2007535622.tif 000004
【図１Ｂ】
2007535622.tif 000005
【図１Ｃ】
2007535622.tif 000006
【図２】
2007535622.tif 000007
【図３】
2007535622.tif 000008
【図４】
2007535622.tif 000009
【図５】
2007535622.tif 000010
【図６】
2007535622.tif 000011
【国際調査報告】
2007535622.tif 000012
2007535622.tif 000013
2007535622.tif 000014